(57)【要約】【課題】シングルバルブ方式を採用することにより構造の簡素化、部品点数の削減を図り、組立作業性、再調整、修理等の作業を容易にするとともに、良好なベンド効果が得られるようにした鍵盤吹奏楽器を提供することにある。【解決手段】複数の笛室８を有するフレーム３に鍵盤２２とベンド機構３０を取付ける。各鍵盤２２のリードバルブ２５は、非演奏時において笛室８の空気出口部９を閉塞しており、演奏時に開放する。ベンド機構３０は発音している音のピッチを一時的に下げさせてベンド効果を得るための機構で、全てのリードバルブ２５に対応する回動軸３５および連結棒３６とからなる回動自在なバルブ押圧体３１と、このバルブ押圧体３１をリードバルブ２５方向に回動させる操作手段３２と、前記バルブ押圧体３１を初期位置に復帰させる付勢手段と、前記バルブ押圧体３１の回動角度を制限するストッパ等から構成されている。【選択図】        図３
2005017840.tif 000002
【特許請求の範囲】
【請求項１】
隔壁によって互いに仕切られて並列状に形成された複数の笛室と、これらの笛室にそれぞれリード孔を介して連通するとともに吹口に連通する空気室と、前記各笛室のリード孔に設けられたリードと、各鍵盤に一体に設けられ前記各笛室の空気出口部を開閉する複数のリードバルブと、これらのリードバルブを閉方向に押すベンド機構とを備えたことを特徴とする鍵盤吹奏楽器。
【請求項２】
請求項１記載の鍵盤吹奏楽器において、
前記ベンド機構は、全てのリードバルブに対応するように前記リードバルブの後方に回動自在に設けられたバルブ押圧体と、このバルブ押圧体をリードバルブ方向に回動させる操作手段と、前記バルブ押圧体を初期位置に復帰させる付勢手段と、前記バルブ押圧体の回動角度を規制するストッパとで構成されていることを特徴とする鍵盤吹奏楽器。
【請求項３】
請求項１または２記載の鍵盤吹奏楽器において、
前記ストッパは、ベンド機構の非作動時において前記バルブ押圧体を全開状態におけるリードバルブから離間した初期位置に受け止め係止する第１のストッパ部と、前記ベンド機構の作動時に全開状態の前記リードバルブを前記空気出口部を閉じない角度内で閉方向に回動復帰させると、その回動位置に前記バルブ押圧体を停止させる第２のストッパ部とを有することを特徴とする鍵盤吹奏楽器。
【発明の詳細な説明】
【０００１】
【発明の属する技術分野】
本発明は、鍵盤吹奏楽器の改良に関し、特に発音ピッチを連続的に可変させるベンド機構を備えた鍵盤吹奏楽器に関するものである。
【０００２】
【従来の技術】
鍵盤吹奏楽器は、基本的には各リードの固有振動数によって発音ピッチ（音程の高低）が決定されるため、音程を連続的に変化させることができず、ポルタメント等の演奏効果を得ることができない楽器とされていた。そこで、最近ではベンド機構を付加することにより発音ピッチを連続的に変化させるようにした鍵盤吹奏楽器も提案されている（例えば、特許文献１参照）。なお、出願人は本明細書に記載した先行技術文献情報で特定される先行技術文献以外には、本発明に密接に関連する先行技術文献を出願時までに見つけ出すことはできなかった。
【０００３】
【特許文献１】
特開平９−１６１６３号公報（第３〜４頁、段落「０００８」〜「００１８」図２）
【０００４】
前記特開平９−１６１６３号公報に記載されている鍵盤吹奏楽器は、笛室の空気出口部とリードバルブとの間に小孔を有するチョークバルブを設けている。このチョークバルブは、非演奏状態においてリードバルブによって押圧されることにより前記笛室の空気出口部を閉塞しており、鍵盤の押鍵操作に伴いリードバルブが鍵盤と一体に回動してチョークバルブに対する押圧状態を解除すると、チョークバルブも圧縮コイルばねの力によってリードバルブと一体的に回動して前記笛室の空気出口部を開放する。チョークバルブが空気出口部を開放すると、このときの空気の流れによってリードが振動して所定のピッチで発音する。この発音状態でチョークバルブを圧縮コイルばねに抗して閉方向に回動させて空気出口部から流出する空気流の量を規制すると、リードの振動が変化して通常演奏時よりも低いピッチで発音する（ベンド効果）。すなわち、鍵盤と一体に作動するリードバルブと、リードバルブが開いた状態において、リードバルブとは別個に作動し得るチョークバルブとを備えることによりダブルバルブ方式とし、ベンド奏法時にチョークバルブのみを閉方向に回動させて発音ピッチを一時的に下げることによりベンド効果を奏するようにしたものである。
【０００５】
【発明が解決しようとする課題】
しかしながら、上記した従来の鍵盤吹奏楽器は、各笛室に対して２つのバルブを設ける必要があるため、構造が複雑化し部品点数が増加するという問題があった。
また、笛室の空気出口部とチョークバルブとの隙間およびリードバルブとチョークバルブとの隙間をシール部材によってそれぞれシールする必要があるためシール箇所が多く、シール部材の劣化によりシール性能が低下すると、前記隙間から息漏れし楽器としての性能が低下するという問題が生じる。
また、チョークバルブを笛室の空気出口部とリードバルブとの狭い箇所に組み込まなければならないため、組立作業性が低く、またチョークバルブの再調整、修理等を行う場合は鍵盤とリードバルブをフレームから取り外さなければ作業が行えないなど種々の問題があった。
【０００６】
本発明は上記した従来の問題を解決するためになされたもので、その目的とするところは、シングルバルブ方式を採用することにより構造の簡素化と、部品点数の削減を図り、組立作業性、再調整、修理等の作業を容易にするとともに、良好なベンド効果が得られるようにした鍵盤吹奏楽器を提供することにある。
【０００７】
【課題を解決するための手段】
上記目的を達成するために第１の発明は、隔壁によって互いに仕切られて並列状に形成された複数の笛室と、これらの笛室にそれぞれリード孔を介して連通するとともに吹口に連通する空気室と、前記各笛室のリード孔に設けられたリードと、各鍵盤に一体に設けられ前記各笛室の空気出口部を開閉する複数のリードバルブと、これらのリードバルブを閉方向に押すベンド機構とを備えたものである。
【０００８】
このような構成によれば、リードバルブが開いているとき、ベンド機構によってリードバルブを閉方向に押圧すると、リードバルブが回動して笛室の空気出口部から外部に流出する空気の流量が減少するため、リードの振動が変化し発音ピッチが通常よりも低くなりベンド効果が得られる。
【０００９】
第２の発明は、上記第１の発明において、前記ベンド機構は、全てのリードバルブに対応するように前記リードバルブの後方に回動自在に設けられたバルブ押圧体と、このバルブ押圧体をリードバルブ方向に回動させる操作手段と、前記バルブ押圧体を初期位置に復帰させる付勢手段と、前記バルブ押圧体の回動角度を規制するストッパとで構成されているものである。
【００１０】
このような構成によれば、ベンド機構の構成が簡単で、リードバルブを確実に回動させることができる。
【００１１】
第３の発明は、上記第１または第２の発明において、前記ストッパは、ベンド機構の非作動時において前記バルブ押圧体を全開状態におけるリードバルブから離間した初期位置に受け止め係止する第１のストッパ部と、前記ベンド機構の作動時に全開状態の前記リードバルブを前記空気出口部を閉じない角度内で閉方向に回動復帰させると、その回動位置に前記バルブ押圧体を停止させる第２のストッパ部とを有するものである。
【００１２】
このような構成によれば、ベンド機構を作動させてバルブ押圧体を第２のストッパ部に当接させると、それ以上リードバルブを回動させることがないので、リードバルブは空気出口部を完全に閉じてしまうようなことがなく、リードの発音状態を停止させることはない。
【００１３】
【発明の実施の形態】
以下、本発明を図面に基づいて詳細に説明する。
図１は本発明に係る鍵盤吹奏楽器の一実施の形態を示す平面図、図２は同鍵盤吹奏楽器の正面図、図３は図１の非演奏時におけるＩＩＩ  −ＩＩＩ  線拡大断面図、図４は図１のＩＶ−ＩＶ線拡大断面図、図５は通常演奏時の拡大断面図、図６はフレームの底面図、図７はベンド機構の非作動時の状態を示す断面図、図８は同ベンド機構の作動時の状態を示す断面図、図９は同ベンド機構の主要構成部品の分解斜視図である。
【００１４】
これらの図において、全体を符号１で示す鍵盤吹奏楽器１は、共鳴箱を形成する楽器ケース２を備えている。楽器ケース２は、上方に開放する長方形の浅底箱型に形成され、内部に空気室形成部材４と歌口５を備えたフレーム（笛室形成部材）３が楽器ケース２の上方側開口部を覆うように組み込まれている。
【００１５】
前記フレーム３は合成樹脂製の成形品からなり、内部に隔壁６によって互いに仕切られた複数の笛室８が各音高にそれぞれ対応するようにフレーム３の長手方向に並ぶように形成されている。これらの笛室８は、フレーム３の背面側と下面側に開放するように形成されており、背面側の開口部が前記楽器ケース２内に開放する空気出口部９を形成し、下面側の開口部１０がリードプレート１１によって覆われている。リードプレート１１は、全ての笛室８に対して共通に延在する長さと、各笛室８に対応して形成された細長い複数個のリード孔１２を有し、このリード孔１２を介して笛室８と後述する空気室１４とを連通させている。また、リードプレート１１の下面側には複数個のリード１３が各リード孔１２に対応して取付けられている。
【００１６】
前記各リード１３は、それぞれ所定の長さと固有の振動数を有する短冊状の薄い金属片からなり、基端部がスポット溶接、鋲等によって前記リードプレート１１の下面に固定されることにより片持支持されている。したがって、前記歌口５から吹き込まれた空気が前記空気室１４からリード孔１２を通って笛室８内に流入すると、このときの空気流によってリード１３の自由端側が振動し、このリード１３の振動によってリード孔１２は周期的に開閉され、断続的な空気の流れを形成することにより所定の音高の音が発音される。
【００１７】
前記歌口５は、前記フレーム３の演奏時に演奏者側となる左側面に設けた接続孔１５に対して着脱可能に差し込み接続されており、前記楽器ケース２の外部に突出している。
【００１８】
前記空気室形成部材４は、前記リードプレート１１およびリード１３を覆うように前記フレーム３の下面前端部に固定されており、この空気室形成部材４と前記フレーム３とで囲まれた空間が前記空気室１４を形成している。この空気室１４は、前記各笛室８とリード孔１２を介して連通するとともに、前記歌口５に接続孔１５を介して連通している。
【００１９】
前記フレーム３の前記笛室８より上方にはさらに副空気室１８が形成されている。この副空気室１８は、フレーム３の長手方向に延在し、隔壁１９によって所定の容積を有するように３つの室１８ａ，１８ｂ，１８ｃに画成されている。また、これらの室１８ａ，１８ｂ，１８ｃは、笛室８の隔壁６に形成した連通孔２０を介して前記空気室１４に連通しており、これによって空気室１４の容積を実質的に拡大している。このような副空気室１８を設けておくと、空気室１４内の空気の固有振動数をリード１３に影響されないところに移動、すなわちリード１３の固有振動数よりも十分低い値に設定することができるので、リード１３の振動によって共振を起こすことがなく、しかも両方の空気室（１４，１８）内が吹きどまりとならず、低音から高音にいたるまでの全域にわたって平均した音量で演奏することができる。
【００２０】
前記フレーム３の上面には白鍵２２Ａと黒鍵２２Ｂとからなる、たとえば３７個の鍵盤２２が楽器ケース２の長手方向に並設されている。前記各白鍵２２Ａと黒鍵２２Ｂは各笛室８に対応して設けられ、後端が図３に示すように前記フレーム３の上面後端部に突設した突起状の回動支点部２３によって上下方向に揺動自在に支持され、かつ引張りコイルばね２４によって復帰方向（図３において時計方向）の回動習性が付与されている。また、各白鍵２２Ａと黒鍵２２Ｂの下面後端部寄りには、リードバルブ２５がそれぞれ一体に垂設されており、これらのリードバルブ２５を通常前記圧縮コイルばね２４によって前記フレーム３の背面に後方から圧接することにより、前記各笛室８の空気出口部９を閉塞するとともに、各鍵盤２２を初期位置に保持している。
【００２１】
さらに、前記フレーム３にはベンド機構３０が配設されている。このベンド機構３０は、演奏時に鍵操作によって開いたリードバルブ２５を前記空気出口部９を完全には閉じない範囲の角度内で閉方向に所要角度回動させることにより発音している音のピッチを一時的に下げさせてベンド効果を得るための機構である。このベンド機構３０は、前記フレーム３の背部に回動自在に設けられ全てのリードバルブ２５に対応する長さを有するバルブ押圧体３１と、このバルブ押圧体３１をリードバルブ２５方向に回動させる操作手段３２と、前記バルブ押圧体３１を初期位置に復帰させる付勢手段３３と、前記バルブ押圧体３１の回動角度を規制する一対のストッパ３４等で構成されている。
【００２２】
図３、図７〜図９において、前記バルブ押圧体３１は、前記リードバルブ２５の後方（リードバルブ２５が開く側）に位置する平行な回動軸３５および連結棒３６と、これら回動軸３５と連結棒３６の両端部付近、中間部２箇所および中央部をそれぞれ連結する３種類、合計７つの連結レバー３７，３８，３９とで構成され、前記回動軸３５の両端部と中間部が前記ストッパ３４と支持体４１とによって回転自在に保持されている。
【００２３】
前記回動軸３５と連結棒３６は金属製で、前記連結レバー３７，３８，３９に設けた貫通孔をそれぞれ貫通し、かつ溶着または接着剤等によって固定されている。回動軸３５は、連結棒３６より太くて上方かつ後方に位置している。したがって、バルブ押圧体３１は、自重により図７において反時計方向の回動習性を有し、左右両端部に設けた連結レバー３７が前記各ストッパ３４によって初期位置に係止されている。
【００２４】
前記操作手段３２は、前記フレーム３の下面後端部に設けた案内ブロック４０（図３）に進退自在に保持された操作レバーからなり、前端部が前記連結レバー３９を押圧する押圧部３２Ａを形成し、後端に設けた摘み部３２Ｂが前記楽器ケース２の背面下部に設けた挿通孔４３から外部に突出している。連結レバー３９の下面側には、前記操作手段３２の押圧部３２Ａによって押圧される三角形の突起部３９Ａが一体に突設されている。
【００２５】
前記付勢手段３３は前記回動軸３５と平行に設けられた左右一対のトーションバーからなり、そのそれぞれの外端が前記連結レバー３８に設けた係止部３８Ａに掛けられ、内端が前記支持体４１の孔４５に圧入固定されている。このような付勢手段３３は、ベンド機構３０の非作動状態においては、バルブ押圧体３１に対して殆ど作用せず、ベンド機構３０を作動してバルブ押圧体３１を図８に示すように時計方向に回動させると、捩られてバルブ押圧体３１を初期位置に復帰させようとする力が蓄積される。なお、付勢手段３３としては、トーションバーに限らず捩りコイルばねを用いてもよい。前記支持体４１は前記フレーム３の下面にねじ止め固定されており、前記回動軸３５を回動自在に保持するＵ字状の溝４６を有している。
【００２６】
前記ストッパ３４は、前記バルブ押圧体３１の回動角度を規制するためのもので、前記フレーム３の下面の左右両端部に止めねじによってそれぞれ固定されており、前記回動軸３５を回転自在に軸支する挿通孔４８と、前記連結レバー３７の回動を規制する第１、第２のストッパ部５０Ａ，５０Ｂとを有している。第１、第２のストッパ部５０Ａ，５０Ｂは、ストッパ３４の前記連結レバー３７と対向する内面に突設した２つの突起部５１Ａ，５１Ｂに互いに略平行に対向するように設けた斜面によって構成されている。これらのストッパ部５０Ａ，５０Ｂは、ストッパ３４をフレーム３の下面後端部にねじ止め固定した状態において、図７および図８に示すように所要角度をもって前下がりに傾斜した斜面であって、通常は第１のストッパ部５０Ａによって連結レバー３７を受け止めて初期位置に係止している（図７）。この状態において、鍵操作によってリードバルブ２５を最大角度開いても、リードバルブ２５は前記連結棒３６に対して当接することはない。第２のストッパ部５０Ｂは、ベンド機構３０の作動時にバルブ押圧体３１の回動角度を規制することにより、全開状態のリードバルブ２５を前記空気出口部９を完全には閉じない範囲の角度内で閉方向に所要角度回動復帰させる。なお、左右一対のストッパ３４は、左右対称な形状に形成されており、前記突起部５１Ａ，５１Ｂ間に前記連結レバー３７が所要の角度内で回動可能に挿入されている。
【００２７】
このような構造からなる鍵盤吹奏楽器１の非演奏時において、リードバルブ２５は引張りコイルばね２４の付勢力によってフレーム３の背面に圧接されることにより空気出口部９を閉塞している。この状態においては、空気を吹口５に吹き込んでも空気出口部９が閉じられているので、空気は流れず、リード１３は振動しない。
【００２８】
前記吹口５から空気を吹き込み、ある任意の白鍵２２Ａまたは黒鍵２２Ｂを押鍵操作すると、当該鍵のリードバルブ２５が開き、当該リードバルブに対応する笛室８の空気出口部９を開放させる。空気出口部９が開くと、吹口５より空気室１４内に吹き込まれた空気は、押鍵操作された当該鍵に対応する笛室８にリード孔１２を通って流入して当該笛室８のリード１３を振動させ、空気出口部９から楽器ケース２内に排出されることにより、通常のピッチの音を発音させることができる。
【００２９】
この通常の演奏状態において、操作手段３２の操作部３２Ｂを手で操作して操作手段３２をケース２内に押込むと、操作手段３２の押圧部３２Ａが連結レバー３９の突起部３９Ａを押圧する。これによりバルブ押圧体３１が図８において時計方向に回動し、連結棒３６が全開状態のリードバルブ２５を後方から押圧する。このため、リードバルブ２５は閉方向に所要角度回動して空気出口部９を全開時の半分以下の開放状態にする。この結果、空気出口部９の開口面積が絞られることにより、空気出口部９から流出する空気の流量が減少する。したがって、リード１３は通常演奏時よりも低いピッチで発音する。このピッチ変化によるベンド効果が通常の音の強弱や鋭さ、柔らかさなどの表現に追加されることで、より演奏効果を高め、曲想の幅を拡大することができる。また、ピッチは操作手段３２の操作によってリードバルブ２５の開度を繰り返し変えれば連続的に変化する。なお、バルブ押圧体３１は連結レバー３７がストッパ３４の第２のストッパ部５０Ｂに当接するとそれ以上の回動が規制されるため、リードバルブ２５を完全に閉じてしまうことはなく発音を継続させる。
【００３０】
ベンド奏法から通常の演奏状態に戻すには、操作手段３２に対する押圧力を解除すればよい。操作手段３２の押圧状態を解除すると、トーションバーからなる付勢手段３３による復帰力によってバルブ押圧体３１が回動復帰して第１のストッパ部５０Ａに当接し、リードバルブ２５に対する押圧状態を解除する。したがって、リードバルブ２５も全開状態に復帰し、リード１３の発音状態を通常の発音状態に戻す。
【００３１】
なお、上記した実施の形態においては、フレーム３に副空気室１８を設けた鍵盤吹奏楽器１に適用した例を示したが、本発明は副空気室１８を備えないものにもそのまま適用実施することができる。
【００３２】
【発明の効果】
以上説明したように本発明に係る鍵盤吹奏楽器は、リードバルブを動作させることにより笛室の空気出口部を絞るベンド機構を設けたので、発音ピッチを変化させることができ、ポルタメント等の演奏効果が得られ、楽器としての音楽的表現力を高めることができる。また、上記した従来の鍵盤吹奏楽器に比べて構造が簡単で、部品点数を削減することができ、組み立て作業性に優れているばかりか、再調整、修理等を行う場合には鍵を取り外さないで行うことができ、作業性にも優れている。
【図面の簡単な説明】
【図１】本発明に係る鍵盤吹奏楽器の一実施の形態を示す平面図である。
【図２】同鍵盤吹奏楽器の正面図である。
【図３】図１の非演奏時におけるＩＩＩ  −ＩＩＩ  線拡大断面図である。
【図４】図１のＩＶ−ＩＶ線拡大断面図である。
【図５】通常演奏時の拡大断面図である。
【図６】フレームの底面図である。
【図７】ベンド機構の非作動時の状態を示す断面図である。
【図８】同ベンド機構の作動時の状態を示す断面図である。
【図９】同ベンド機構の主要構成部品の分解斜視図である。
【符号の説明】
１…鍵盤吹奏楽器、２…楽器ケース、３…フレーム、４…空気室形成部材、６…隔壁、８…笛室、９…空気出口部、１２…リード孔、１４…空気室、１８…副空気室、２５…リードバルブ、３０…ベンド機構、３１…バルブ押圧体、３２…操作手段、３３…付勢手段、３４…ストッパ、３５…回動軸、３６…連結棒、３７，３８，３９…連結レバー、４１…支持体、５０Ａ…第１のストッパ部、５０Ｂ…第２のストッパ部。
【図１】
2005017840.tif 000003
【図２】
2005017840.tif 000004
【図３】
2005017840.tif 000005
【図４】
2005017840.tif 000006
【図５】
2005017840.tif 000007
【図６】
2005017840.tif 000008
【図７】
2005017840.tif 000009
【図８】
2005017840.tif 000010
【図９】
2005017840.tif 000011